【事件の表示】
　特許第３２９１９７１号「水性粘着剤組成物及び清涼感の増強方法」の請求項１乃至５に係る特許に対する特許異議の申立てについて、次のとおり決定する。
【結　論】
　訂正を認める。
　特許第３２９１９７１号の請求項１乃至５に係る特許を維持する。
【理　由】
１．手続の経緯
　特許第３２９１９７１号の請求項１乃至５に係る発明は、平成７年４月１２日に特許出願され、平成１４年３月２９日にその特許権の設定登録がなされ、その後、久光製薬株式会社及び林國治より特許異議の申立てがなされ、取消しの理由が通知され、その指定期間内である平成１５年５月１９日に訂正請求がなされたものである。
　
２．訂正の適否についての判断
（１）訂正の内容
ア．訂正事項ａ
　特許請求の範囲の請求項１の記載について、
「・・・を含有する水性粘着基剤に清涼化剤とウイキョウ油、ダイウイキョウ油、ケイヒ油、チョウジ油、テレビン油、ヘノポジ油、ヤマジン油、ラベンダー油、レモン油、オレンジ油、トウカ油、ベルガモット油、ローズ油、シトロネラ油、レモングラス油、樟脳油及びゼラニウム油から選ばれる１種又は２種以上の精油類とを配合してなることを特徴とする水性粘着剤組成物。」とあるのを、
「・・・を含有し、水分を３０重量％以上含有する水性粘着基剤にｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイドから選ばれる清涼化剤とダイウイキョウ油、ヘノポジ油、ヤマジソ油、ラベンダー油、レモン油、オレンジ油、トウカ油、ベルガモット油、ローズ油、シトロネラ油、レモングラス油及びゼラニウム油から選ばれる１種又は２種以上の精油類とを配合してなることを特徴とする冷感貼付剤用水性粘着剤組成物。」と訂正する。
　
イ．訂正事項ｂ
　特許請求の範囲の請求項５の記載について、
「・・・と清涼化剤とを含有してなる水性粘着基剤に、ウイキョウ油、ダイウイキョウ油、ケイヒ油、チョウジ油、テレビン油、ヘノポジ油、ヤマジン油、ラベンダー油、レモン油、オレンジ油、トウカ油、ベルガモット油、ローズ油、シトロネラ油、レモングラス油、樟脳油及びゼラニウム油から選ばれる１種又は２種以上の精油類を配合する・・・」とあるのを、
「・・・とｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイドから選ばれる清涼化剤とを含有し、水分を３０重量％以上含有してなる水性粘着基剤に、ダイウイキョウ油、ヘノポジ油、ヤマジソ油、ラベンダー油、レモン油、オレンジ油、トウカ油、ベルガモット油、ローズ油、シトロネラ油、レモングラス油及びゼラニウム油から選ばれる１種又は２種以上の精油類を配合する・・・」と訂正する。
　
ウ．訂正事項ｃ
　明細書の段落【０００８】の記載を、
「即ち、本発明は、ポリアクリル酸とポリアクリル酸塩との架橋体を含有し、水分を３０重量％以上含有する水性粘着基剤にｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイドから選ばれる清涼化剤とダイウイキョウ油、ヘノポジ油、ヤマジソ油、ラベンダー油、レモン油、オレンジ油、トウカ油、ベルガモット油、ローズ油、シトロネラ油、レモングラス油及びゼラニウム油から選ばれる１種又は２種以上の精油類とを配合してなることを特徴とする冷感貼付剤用水性粘着剤組成物を提供する。また、本発明は、ポリアクリル酸とポリアクリル酸塩との架橋体とｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイドから選ばれる清涼化剤とを含有し、水分を３０重量％以上含有してなる水性粘着基剤に、ダイウイキョウ油、ヘノポジ油、ヤマジソ油、ラベンダー油、レモン油、オレンジ油、トウカ油、ベルガモット油、ローズ油、シトロネラ油、レモングラス油及びゼラニウム油から選ばれる１種又は２種以上の精油類を配合することによって清涼感の持続性を増強することを特徴とする清涼感の増強方法を提供する。」と訂正する。
　
エ．訂正事項ｄ
　明細書の段落【００１９】の記載について、「清涼感を付与する物質であれば、その種類は制限されず、このような清涼化剤として、例えば」とあるのを削除する。
　
オ．訂正事項ｅ
　明細書の段落【００２１】の記載を、
「本発明の精油類としては、特定の植物から抽出される精油成分であるダイウイキョウ油、ヘノポジ油、ヤマジソ油、ラベンダー油、レモン油、オレンジ油、トウカ油、ベルガモット油、ローズ油、シトロネラ油、レモングラス油、及びゼラニウム油から選ばれる１種を単独で、又は２種以上を混合して使用する。」と訂正する。
　
カ．訂正事項ｆ
　明細書の段落【００２２】の記載を、
「上記精油類について詳述すると、ダイウイキョウ油はスターアニス油とも言われ、モクレン科のIllicium verm Hook. fil.の果実から得られる。」と訂正する。
　
キ．訂正事項ｇ
　明細書の段落【００２３】の記載を、
「ヘノポジ油はアカザ科のアメリカアリタソウの種子又は全草から得られる。ヤマジソ油はシソ科のヤマジソ、シロバナヤマジソ（アオヤマジソ）、ヒメジソ、シラゲヒメジソ等の全草から得られる。ラベンダー油はシソ科の
Lavandula officinalisChaix et Villars(L. vera DC.)の花穂から得られる。レモン油はミカン科のレモンの果実を圧搾して得られる。」と訂正する。
　
ク．訂正事項ｈ
　明細書の段落【００２５】の記載について、「樟脳油はクスノキ科のクスノキの各部から得られる。」とあるのを削除する。
　
ケ．訂正事項ｉ
　明細書の段落【００３１】の記載について、「実施例１〜２５」とあるのを、「実施例１〜１７」と訂正する。
　
コ．訂正事項ｊ
　明細書の段落【００３３】の記載について、表１中の実施例から１、３〜６及び９の欄を削除し、２を１に、７を２に、８を３に、１０を４に、以下順に番号をずらし１３を７にまで、それぞれ訂正し、組成からウイキョウ油、ケイヒ油、チョウジ油、チミアン油、テレビン油、ユーカリ油及び樟脳油の欄を削除する。
　
サ．訂正事項ｋ
　明細書の段落【００３４】の記載について、表２中の実施例から１８及び２０の欄を削除し、１４を８に、以下順に番号をずらし１７を１１にまで、１９を１２に、２１を１３に、以下順に番号をずらし２５を１７にまで、それぞれ訂正し、組成からウイキョウ油、チョウジ油、チミアン油、テレビン油及び樟脳油の欄を削除する。
　
（２）訂正の目的の適否、新規事項の有無及び拡張・変更の存否
　上記訂正事項ａ及びｂは、発明を特定する事項である水性粘着基剤、清涼化剤及び精油類について、水性粘着基剤の水分の含有量を３０重量％以上と限定し、清涼化剤をｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイドと限定し、精油類からウイキョウ油、ケイヒ油、チョウジ油、テレビン油及び樟脳油を削除し、「ヤマジン油」を「ヤマジソ油」と訂正し、さらに、上記訂正事項ａにあっては、水性粘着剤組成物を冷感貼付剤用に限定するものであるから、特許請求の範囲の減縮及び誤記の訂正を目的とした明細書の訂正に該当し、いずれも願書に添付された明細書に記載された事項の範囲内のものであり、実質上特許請求の範囲を拡張又は変更するものではない。
　また、上記訂正事項ｃ〜ｋは、訂正事項ｃ、ｅ及びｇにおいて、誤記の訂正を目的として「ヤマジン油」を「ヤマジソ油」と訂正することに加えて、上記訂正事項ａ及びｂと整合性を図るために訂正するものであるから、明りょうでない記載の釈明を目的とした明細書の訂正に該当し、いずれも願書に添付された明細書に記載された事項の範囲内のものであり、実質上特許請求の範囲を拡張又は変更するものではない。
　
（３）むすび
　したがって、上記訂正は、特許法第１２０条の４第２項及び同条第３項で準用する第１２６条第２項及び第３項の規定に適合するので、当該訂正を認める。
　
３．特許異議の申立てについての判断
（１）申立ての理由の概要
　特許異議申立人久光製薬株式会社（以下、「申立人Ａ」という。）は、請求項１乃至５に係る発明は、甲第１号証乃至甲第２号証に記載された発明である、または、甲第１号証乃至甲第３号証の記載に基づいて当業者が容易に発明をすることができたものであるから、特許法第２９条第１項第３号または同条第２項の規定に違反して特許されたものであり、特許を取り消すべきと主張している。
　また、特許異議申立人林國治（以下、「申立人Ｂ」という。）は、請求項１に係る発明は、甲第３号証に記載の発明と同一である、または、同号証に記載された発明に基づいて当業者が容易に発明し得たものであるから、特許法第２９条第１項第３号または同条第２項の規定に違反して特許されたものであり、特許を取り消すべきと主張し、さらに、請求項１乃至５に係る発明は、甲第２号証、甲第４号証、甲第５号証及び甲第６号証に記載された発明に基づいて当業者が容易に発明し得たものであるから、特許法第２９条第２項の規定に違反して特許されたものであり、特許を取り消すべきと主張している。
　
（２）本件の請求項１乃至５に係る発明
　上記２．で示したように訂正が認められるから、本件の請求項１乃至５に係る発明（以下、それぞれ「本件訂正発明１」などという。）は、上記訂正請求に係る訂正明細書の特許請求の範囲の請求項１乃至５に記載された事項により特定されるとおりのものである。
　
（３）刊行物に記載された発明
　申立人Ａ及びＢが証拠として提出した刊行物には、それぞれ、以下のとおりの発明が記載されている。
　
ア．刊行物１：特開平６−１４５０４９号公報（申立人Ａが提出した甲第１　　　　　　　号証）
　ポリアクリル酸及び／又はポリアクリル酸塩を主体とした架橋型ハップ基剤が記載されており（特許請求の範囲の請求項１）、有効成分としてｄｌ−カンフル、ｄｌ−メントールが添加できると記載されている（段落【００１１】）。
　
イ．刊行物２：特開平３−１１０１３号公報（申立人Ａが提出した甲第２号　　　　　　　証）
　ポリアクリル酸および／またはポリアクリル酸ナトリウムのアルミニウム架橋体の湿布剤用膏体が記載されており（特許請求の範囲）、湿布剤の有効成分としてｄｌ−カンフル、ｌ−メントールが記載されている（第２頁第１６行）。
　
ウ．刊行物３：特開昭５７−１８５２２３号公報（申立人Ａが提出した甲第　　　　　　　３号証）
　膏体中に自己架橋型ポリアクリル酸塩を含有するパップ剤が記載されており（特許請求の範囲第１項）、実施例１として、ｌ−メントール、ｄ−カンフルを含有するパップ剤が記載されている。
　
エ．刊行物４：特開昭６１−１２６１４号公報（申立人Ｂが提出した甲第１　　　　　　　号証）
　金属イオン架橋型含水ゲル基剤としてポリアクリル酸及びポリアクリル酸塩を含有し、インドメタシンと共に、メントールとカンフルとの固溶体を配合した外用剤が記載されている（特許請求の範囲第３項）。
　
オ．刊行物５：特開昭６２−５９２１９号公報（申立人Ｂが提出した甲第２　　　　　　　号証）
　ｄｌ−カンフル、ｌ−メントール、ニクズク油及びウイキョウ油を有効成分とする外用鎮咳・去痰・鎮痛・鎮静剤が記載されており（特許請求の範囲第１項）、さらに、テレビン油及び／又はユーカリ油が添加できることが記載されている（特許請求の範囲第２項）。
　
カ．刊行物６：特開昭６４−８３０２４号公報（申立人Ｂが提出した甲第３　　　　　　　号証）
　ポリアクリル酸又はポリアクリル酸ナトリウムのいずれか一方又は双方を含む水溶性高分子からなる膏体に、かぜ用生薬成分を有効成分として配合した、かぜ用パップ剤が記載されており（特許請求の範囲第５項）、当該生薬成分として、ういきょう油、ケイヒ油、チョウジ油、テレビン油、カンフル、メントール等が開示されている（第２頁左下欄〜右下欄）。
　
キ．刊行物７：特開昭６０−５８９１２号公報（申立人Ｂが提出した甲第４　　　　　　　号証）
　ｌ−メントール及び／又はカルボンを含む口腔用組成物にガジュツの精油を配合したものが記載されている（特許請求の範囲）。
　
ク．刊行物８：特開平４−６９３２６号公報（申立人Ｂが提出した甲第５号　　　　　　　証）
　ｌ−メントール及びリビア・ダルシス・トレブの精油が配合された口腔用組成物が記載されている（特許請求の範囲第２項）。
　
ケ．刊行物９：特開平４−１４９１３６号公報（申立人Ｂが提出した甲第６　　　　　　　号証）
　生理活性精油と、アニス油、サイプレス油、シダーウッド油、ショウノウ油、ジュニパー油、タイム油、ヒソップ油、ベルガモット油、ユーカリ油、安息香油、乳香油、ターペンタイン油、パイン油、セージ油、オレガノ油、カミルレ油、クラリセージ油、シナモン油、ゼラニウム油、バラ油、マージョラム油、ラベンダー油および没薬油から選ばれる活性増強精油とを含有する香料組成物が記載されており（特許請求の範囲第１項）、生理活性精油としてメントールが開示されている（特許請求の範囲第２項）。
　
（４）対比・判断
　本件訂正発明１と上記刊行物１乃至９に記載の発明とを対比すると、上記刊行物１乃至９に記載の発明は、本件訂正発明１を特定する事項である、ポリアクリル酸とポリアクリル酸塩との架橋体を含有し、水分を３０重量％以上含有する水性粘着基剤に、ｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイドから選ばれる清涼化剤と、ダイウイキョウ油、ヘノポジ油、ヤマジソ油、ラベンダー油、レモン油、オレンジ油、トウカ油、ベルガモット油、ローズ油、シトロネラ油、レモングラス油及びゼラニウム油から選ばれる１種又は２種以上の精油類とを配合するという事項を備えておらず、当該水性粘着基剤、清涼化剤及び精油類の特定の組み合わせにより、本件訂正発明１は、適度な強さの清涼感を得ることができると共に、その清涼感は長時間持続するという顕著な効果を奏するものであるから、本件訂正発明１が上記刊行物１、２または６に記載された発明であるとはいえないし、本件訂正発明１が上記刊行物１乃至３の記載に基づいて、あるいは、上記刊行物６の記載に基づいて、あるいは、上記刊行物５及び７〜９の記載に基づいて、当業者が容易に発明できたものとすることはできない。
　本件訂正発明２乃至４は、本件訂正発明１を特定する事項を全て含み、さらに、それぞれ、清涼化剤、清涼化剤と精油類との配合比率、清涼化剤と精油類の配合量を限定するものであるから、上記と同様の理由により、本件訂正発明２乃至４が上記刊行物１または２に記載された発明であるとはいえないし、本件訂正発明２乃至４が上記刊行物１乃至３の記載に基づいて、あるいは、上記刊行物５及び７〜９の記載に基づいて、当業者が容易に発明できたものとすることはできない。
　本件訂正発明５は、上記した本件訂正発明１を特定する事項を全て含むものであるから、上記と同様の理由により、本件訂正発明５が上記刊行物１または２に記載された発明であるとはいえないし、本件訂正発明５が上記刊行物１乃至３の記載に基づいて、あるいは、上記刊行物５及び７〜９の記載に基づいて、当業者が容易に発明できたものとすることはできない。
　
（５）むすび
　以上のとおりであるから、特許異議申立ての理由及び証拠によっては、本件訂正発明１乃至５に係る特許を取り消すことができない。
　また、他に本件訂正発明１乃至５を取り消すべき理由を発見しない。
　よって、結論のとおり決定する。
【異議決定日】
平成１５年７月２日（２００３．７．２）
【訂正の要旨】
審決（決定）の【理由】欄参照。
（５４）【発明の名称】
水性粘着剤組成物及び清涼感の増強方法
（５７）【特許請求の範囲】
　【請求項１】　ポリアクリル酸とポリアクリル酸塩との架橋体を
含有し、水分を３０重量％以上
ｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイドから選ばれる
とダ
、ヘ
ソ
油及
冷感貼付剤用
　【請求項２】　清涼化剤がｌ−メントールである請求項１記載の水性粘着剤組成物。
　【請求項３】　清涼化剤と精油類との配合比率が重量比として１：０．１〜１０である請求項１又は２記載の水性粘着剤組成物。
　【請求項４】　清涼化剤及び精油類の配合量がそれぞれ組成物全体の０．００１〜５重量％である請求項１、２又は３記載の水性粘着剤組成物。
　【請求項５】　ポリアクリル酸とポリアクリル酸塩との架橋体と
ｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイドから選ばれる
含有し、水分を３０重量％以上
、ダ
、ヘ
ソ
油及
【発明の詳細な説明】
　【０００１】
　【産業上の利用分野】
　本発明は、清涼感の持続性を増強した水性粘着剤組成物及び清涼感の増強方法に関する。
　【０００２】
　【従来の技術及び発明が解決しようとする課題】
　従来より、水性粘着剤組成物は、皮膚への適用時に冷感を付与する湿布シート等の外用剤として用いられており、その皮膚適用時における冷感は水性粘着基剤中に含有される水分によってある程度は与えられるが、湿布シート等とした場合には支持体（バッキング）が施されているために水分の揮散による気化熱の吸収には限度があること、また、体温により時間と共に基剤自体が暖められてしまうことなどにより、水分による冷感のみではその強さ及び持続性には限度があった。
　【０００３】
　また、水性粘着基剤中にエタノール等の低沸点溶媒を配合することも行われており、この場合、皮膚適用時における冷感は低沸点溶媒の揮散により与えられるものであり、それによる冷感の強さはかなり強いので、強さの点ではほぼ満足しうる冷感が得られるものの、低沸点溶媒が揮散し終わると直ちに冷感が失われ、その持続性の点で問題があった。
　【０００４】
　このような問題を解決するために、水性粘着剤組成物に冷感を付与する物質として、さらにｌ−メントール等の清涼化剤を配合することも行われているが、この場合、ある程度の清涼感の強さは得られるが、清涼感自体の持続性は必ずしも充分とはいえない。ここで、その持続性を増すために清涼化剤の配合量を増加させることも考えられるが、この場合、清涼感の持続性は向上するが、皮膚適用時の初期段階における清涼感が強すぎ、清涼感よりもむしろ「痛み」が感じられることがあり、また、発赤やカブレ等の皮膚障害の生じる可能性もあるので、清涼化剤を増加させるという方法は採用し得ない。
　【０００５】
　さらに、少量の清涼化剤を効率的に皮膚から吸収させるために、界面活性剤、脂肪酸エステル等のいわゆる吸収促進剤をさらに配合することにより、水性粘着剤組成物に適度な清涼感を付与し、且つ皮膚刺激を軽減することも行われているが、清涼感の持続性の点で充分であるとはいえない。
　【０００６】
　本発明は、上記事情に鑑みなされたもので、適度な清涼感を有すると共に、その清涼感が持続するのみならず、皮膚適用時に皮膚の発赤やカブレ等を起こすこともなく、安全性にも優れた水性粘着剤組成物及び清涼感の増強方法を提供することを目的とするものである。
　【０００７】
　【課題を解決するための手段及び作用】
　本発明者は上記目的を達成するため鋭意検討を行った結果、ポリアクリル酸とポリアクリル酸塩との架橋体を含有する水性粘着基剤にｌ−メントール等の清涼化剤と特定の植物から抽出される精油類とを配合することにより、皮膚適用時に皮膚の痛みや発赤を生ずることなく、水性粘着剤組成物の清涼感を有為に持続させ得ることを見い出し、本発明をなすに至った。
　【０００８】
　即ち、本発明は、ポリアクリル酸とポリアクリル酸塩との架橋体を
含有し、水分を３０重量％以上
ｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイドから選ばれる
とダ
、ヘ
ソ
油及
冷感貼付剤用
。ま
ｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイドから選ばれる
含有し、水分を３０重量％以上
、ダ
、ヘ
ソ
油及
　【０００９】
　以下、本発明につき更に詳述すると、本発明の水性粘着剤組成物は、水性粘着基剤、清涼化剤及び特定の精油類を必須成分として含有するものである。ここで、本発明の水性粘着基剤としては、ポリアクリル酸とポリアクリル酸塩との架橋体を含有する水性粘着基剤が使用される。この水性粘着基剤は、含水率が高く、しかも、皮膚への粘着力にも優れるものであり、特に、本発明の清涼化剤と特定の精油類との組み合わせにおいて、顕著な清涼感の持続効果が得られるものである。
　【００１０】
　ポリアクリル酸とポリアクリル酸塩との架橋体は、特に制限されることはなく、公知のものを使用し得るが、例えば特開昭５９−１１０６１４号、同５９−１１０６１６号、同５９−１１０６１７号、同６０−９９１８０号、同６０−２６０５１２号、同６０−２６０５１３号公報等に記載されたポリアクリル酸とポリアクリル酸塩との金属架橋体を含有する水性粘着基剤が好ましい。
　【００１１】
　具体的には、本発明の水性粘着基剤のポリアクリル酸としてはいずれのものでも使用でき、その分子量及び直鎖状、分枝鎖状等の形状には特に制限はないが、分子量１万〜１０００万のものを用いることが好ましい。なお、通常のアクリル酸を重合して得られた重合体のほか、カルボポール（商品名：米国グッドリッチ社製）等のアクリル酸重合体を一部架橋したものも好適に使用し得る。
　【００１２】
　また、ポリアクリル酸塩としてはポリアクリル酸ナトリウム、ポリアクリル酸カリウム等のポリアクリル酸の一価金属塩、ポリアクリル酸モノエタノールアミン、ポリアクリル酸ジエタノールアミン、ポリアクリル酸トリエタノールアミン等のポリアクリル酸のアミン塩、ポリアクリル酸のアンモニウム塩等の１種又は２種以上が好適に使用し得る。
　【００１３】
　ここで、ポリアクリル酸とポリアクリル酸塩との配合比（重量比）は１：０．１〜１：１０、特に１：１〜１：９とすることが好ましいが、ポリアクリル酸又は塩を一部中和してポリアクリル酸塩が上記比率になるようにしたものを用いても差し支えない。また、ポリアクリル酸及びポリアクリル酸塩の合計配合量は組成物全体の０．５〜２０％（重量％、以下同様）、特に１〜１５％とすることが好ましく、０．５％未満では粘着力が不足する場合があり、２０％を超えると粘度が高くなり、製造時の作業性に問題が生じることがある。
　【００１４】
　ここで、本発明の水性粘着基剤は、ポリアクリル酸とポリアクリル酸塩とを適当な架橋剤を添加することにより架橋したものを使用するものであり、このような架橋剤としては、ポリアクリル酸とポリアクリル酸塩とを架橋し得る限り、その種類は特に制限されないが、特に、多価金属化合物が好適に使用される。この場合、多価金属化合物としてはマグネシウム化合物、カルシウム化合物、亜鉛化合物、カドミウム化合物、アルミニウム化合物、チタン化合物、錫化合物、鉄化合物、クロム化合物、マンガン化合物、コバルト化合物、ニッケル化合物等が使用し得るが、本発明の水性粘着剤組成物は皮膚に適用するものであり、皮膚に対する安全性を考慮するならば、アルミニウム化合物、マグネシウム化合物、カルシウム化合物等を用いることが特に好ましい。
　【００１５】
　この場合、アルミニウム化合物、マグネシウム化合物及びカルシウム化合物はいずれのものも好適に使用し得、例えばカリミョウバン、アンモニウムミョウバン、鉄ミョウバン等のミョウバン類、水酸化アルミニウム、硫酸アルミニウム、塩化アルミニウム、アルミニウムグリシネート、酢酸アルミニウム、酸化アルミニウム、メタケイ酸アルミニウム、水酸化カルシウム、炭酸カルシウム、硫酸カルシウム、硝酸カルシウム、塩化カルシウム、酢酸カルシウム、酸化カルシウム、リン酸カルシウム、水酸化マグネシウム、炭酸マグネシウム、硫酸マグネシウム、酢酸マグネシウム、合成ヒドロタルサイト、これら金属を含む複塩等の水可溶性化合物、水難溶性化合物の１種又は２種以上を使用し得る。また、アルミニウム、マグネシウムを含む制酸剤も多価金属化合物として配合し得る。
　【００１６】
　ここで、上記架橋剤の好適な配合量は、その種類により種々異なるが、例えば上記多価金属化合物を使用する場合、その配合量は組成物全体の０．００１〜１０％、特に０．０１〜５％とすることが好ましい。０．００１％未満では組成物の凝集力が低下する場合があり、１０％を超えると粘着力が低下する場合がある。
　【００１７】
　上記水性粘着基剤の含水率は、３０％以上、特に３５〜７５％であることが好ましい。３０％未満では水性粘着基剤による清涼感が十分に得られない場合がある。
　【００１８】
　なお、本発明の水性粘着基剤には、本発明の効果を妨げない範囲でセルロース誘導体及び多価アルコールを添加し得、この場合、セルロース誘導体としてはいずれのものも使用し得、例えばカルボキシメチルセルロースのアルカリ金属塩、ヒドロキシメチルセルロース、ヒドロキシエチルセルロース、ヒドロキシプロピルセルロース、メチルセルロース等の１種又は２種以上が使用し得るが、特にカルボキシメチルセルロースナトリウム、カルボキシメチルセルロースカリウム等のカルボキシメチルセルロースのアルカリ金属塩が好適に使用し得る。なお、セルロース誘導体を添加する場合、その配合量は組成物全体の１５％以下とすることが好ましい。１５％を超えると粘度が高くなり、製造時の作業性に問題が生じる場合がある。また、多価アルコールとしては通常用いられるいずれのものでも使用し得、例えばグリセリン、ソルビトール、エチレングリコール、ジエチレングリコール、トリエチレングリコール、ポリエチレングリコール、プロピレングリコール、ポリプロピレングリコール、１，３−プロパンジオール、１，４−ブタンジオール、マルチトール、キシリトール等の１種又は２種以上を使用し得る。なお、多価アルコールを添加する場合、その配合量は組成物全体の５０％以下とすることが好ましい。５０％を超えると水性粘着基剤の凝集力が低下し、剥離時に水性粘着基剤が被着体に残る場合が生じる。
　【００１９】
　次に、本発明の清涼化剤としては
、ｌ
　【００２０】
　上記清涼化剤の配合量は、組成物全体の０．００１〜５％、特に０．０１〜２％とすることが好ましい。０．００１％未満では精油類の配合によってある程度清涼感は改善されるものの、組成物全体としての清涼感に乏しくなる場合があり、５％を超えると皮膚への刺激感が強くなる場合がある。
　【００２１】
　本発明の精油類としては、特定の植物から抽出される精油成分である
ダ
、ヘ
ソ
、及びゼ
　【００２２】
　上記精油類について詳述すると
、ダ
。
　【００２３】
　
ヘ
ソ
　【００２４】
　オレンジ油はミカン科の植物の果皮を圧搾して得られ、Ｃｉｔｒｕｓ　ａｕｒａｎｔｉｕｍより得られるｓｗｅｅｔ　ｏｒａｎｇｅ　ｏｉｌ及びＣｉｔｒｕｓ　ｂｉｇａｒａｄｉａより得られるｂｉｔｔｅｒ　ｏｒａｎｇｅ　ｏｉｌ等がある。トウカ油はネロリ油とも言われ、ミカン科のＣｉｔｒｕｓ　ｂｉｇａｒａｄｉａの新鮮な花から得られる。ベルガモット油はミカン科のＣｉｔｒｕｓ　ｂｅｒｇａｍｉａの成熟した果実の皮を圧搾して得られる。ローズ油はバラ油とも言われ、バラ科に属するＲｏｓａ　ｄａｍａｓｃｅｎａ　Ｍｉｌｌ．、Ｒｏｓａｃｅｎｔｉｆｏｌｉａ　Ｌ．等の植物の花から得られる。
　【００２５】
　シトロネラ油はイネ科のＣｙｍｂｏｐｏｇｏｎ　ｗｉｎｔｅｒｉａｎｕｓ、Ｃｙｍｂｏｐｏｇｏｎ　ｎａｒｄｕｓの全草から得られる。レモングラス油はイネ科のオガルカヤ属Ｃｙｍｂｏｐｏｇｏｎの植物であるＣｙｍｂｏｐｏｇｏｎ　ｆｌｅｘｕｏｓｕｓ　Ｓｔａｐｆ、Ｃｙｍｂｏｐｏｇｏｎ　ｃｉｔｒａｌｕｓ　Ｓｔａｐｆ等から得られる
。ゼ
　【００２６】
　上記精油類の配合量は、上記清涼化剤に対し、重量比率で清涼化剤：精油類＝１：０．１〜１０、特に１：０．５〜５となる量とすることが好ましい。精油類の比率が０．１未満では精油類添加の効果を得ることが困難な場合があり、１０を超えると清涼化剤による皮膚刺激が生じる場合がある。また、組成物全体の０．００１〜５％、特に０．０３〜２％とすることが好ましい。０．００１％未満では精油類添加の効果を得ることが困難な場合があり、５％を超えると粘着力が劣り、製品として問題となる場合がある。
　【００２７】
　なお、本発明の水性粘着剤組成物には、本発明の効果を損なわない限り、上記必須成分に加えて必要に応じ湿布シート等に通常添加されているその他の成分を適宜配合することもできる。但し、本発明の水性粘着剤組成物は皮膚に適用することにより、適度で、且つ持続性のある清涼感を付与することを目的として使用するものであり、薬効成分の配合を必須とするものではない。
　【００２８】
　本発明の水性粘着剤組成物は、外用剤として使用するものであり、例えば湿布シートとして使用する場合は、上記各成分及び必要に応じ他の成分を水に混合し、よく練合してペースト状に調製し、これを紙、織布、不織布、プラスチックフィルム等のバッキングに塗布し、必要によりポリエチレンフィルム等のフェイシングを被覆することにより製品とする。
　【００２９】
　【発明の効果】
　本発明の水性粘着剤組成物は、含水率が高いポリアクリル酸とポリアクリル酸塩との架橋体を含有する水性粘着基剤に清涼化剤と特定の精油類とを配合することにより、外用剤として皮膚に適用した時に、皮膚の痛みや発赤を生ずることなく、適度で、且つ持続性に優れた清涼感を得ることができる。また、本発明の清涼感の増強方法によれば、ポリアクリル酸とポリアクリル酸塩との架橋体と上記清涼化剤とを含有する水性粘着基剤に上記特定の精油類を配合することにより、清涼感の持続性を増強することができる。
　【００３０】
　【実施例】
　以下、実施例及び比較例を示し、本発明を具体的に説明するが、本発明は下記の実施例に制限されるものではない。
　【００３１】
　［実施例１〜
１７
　表１、２に示す各成分を混合機内に入れてペースト状になるまで十分に撹拌して水性粘着剤組成物を調製し、これを不織布上に１５０ｇ／ｍ２になるように均一に塗布して、ポリエチレンフィルムのフェイシングを施し、湿布シートを製造した。各湿布シートを皮膚に貼り付けた時の清涼感の強さ及び持続性を専門パネラー１０名を被験者として下記の官能試験を行った。結果を表１及び２に併記する。なお、上記被験者の皮膚の痛み及び発赤を観察したところ、異常は認めれらなかった。
＜官能試験＞
　各パネラーにより、湿布シートの皮膚貼付時から０．５、１、２、３、４、５時間後毎の冷感を下記の評価基準に基づいて官能評価した。
評価基準：
　　０：冷感を感じない
　　１：冷感はあるが極めて弱い
　　２：弱い冷感がある
　　３：冷感がある
　　４：明らかに冷感がある
　　５：強い冷感がある
　　６：強すぎるほどの冷感がある
　【００３２】
　清涼感の強さは、各パネラーの評価点の最高点を平均した値を指標とした。加えて、５時間までの清涼感評価点−時間曲線下面積を台形法によって計算して清涼感の強さの指標とした。清涼感の持続性は、上記評価基準で２点以上継続した時間の平均値を指標とした。
　【００３３】
　【表１】
　【００３４】
　【表２】
　【００３５】
　［比較例１〜２０］
　上記実施例と同様の方法で表３〜５に示す組成の水性粘着剤組成物による湿布シートを得た。各湿布シートについて、上記と同様の官能試験を行った。なお、比較例１９、２０では、水性粘着基剤として、ポリアクリル酸とポリアクリル酸塩の架橋体を含有しないものを用いた。結果を表３〜５に併記する。また、被験者の皮膚の痛み及び発赤を観察したところ、比較例２については貼付時の「痛み」を訴える者が１０名中８名あった。
　【００３６】
　【表３】
　【００３７】
　【表４】
　【００３８】
　【表５】
　【００３９】
　表１〜５の結果より、本発明の水性粘着剤組成物は、湿布シートとして皮膚に貼付した際に、適度な強さの清涼感を得ることができ、また、その清涼感は長時間持続し、且つ皮膚の痛みや発赤も生じないことが認められた。一方、水性粘着基剤に清涼化剤のみを配合した場合（比較例１、２）、満足する清涼感を得ることができないか、皮膚に痛みが生じ、水性粘着基剤に精油類のみを配合した場合（比較例３〜１８）及びポリアクリル酸とポリアクリル酸塩との架橋体を含有しない水性粘着基剤を用いた場合（比較例１９、２０）、満足する清涼感を得ることができないことが認められた。